(57)【要約】ターボプレイヤーユニット（１）、ボーリングピン（２）および如何なる方向へも傾斜するレーンプレート（３）を包含しているテーブル休憩室用ゲーム、特にターボボーリングである。ターボプレイヤーユニット（１）は旋回トップ、すなわち回転式円錐形塊であり、そのプレート（１／ａ）は正六辺形を備えかつ更に回転尾部（１／ｂ）およびチップ（１／ｃ）を備えかつレーンプレート（３）は中央に装着された球ヘッド（４／ａ）および球シェル（４／ｂ）を包含しているセッテイング器具（４）を備えている。
2005532104.tif 000002
【特許請求の範囲】
【請求項１】
ターボプレイヤーユニット（１）、ボーリングピン（２）および如何なる方向へも傾斜するレーンプレート（３）を包含しているテーブル休憩室用ゲーム特にターボボーリング。
【請求項２】
ターボプレイヤーユニット（１）は旋回トップ、すなわち回転式円錐形塊であり、そのプレート（１／ａ）は正六辺形を備えかつ更に回転尾部（１／ｂ）およびチップ（１／ｃ）を備えている請求項１に記載のテーブル休憩室用ゲーム。
【請求項３】
レーンプレート（３）が中央に装着された球ヘッド（４／ａ）および球シェル（４／ｂ）を包含しているセッテイング器具（４）を備えている請求項１または２に記載のテーブル休憩室用ゲーム。
【請求項４】
滑り防止ゴムスラブ（４／ｃ）が球シェル（４／ｂ）の底面に接着されている請求項４に記載のテーブル休憩室用ゲーム。
【請求項５】
レーン（３）の形が矩形である請求項１に記載のターボボーリング。
【請求項６】
レーンプレート（３）の長さがその幅の３倍である請求項５に記載のターボボーリング。
【請求項７】
スタート円（５）およびピンスタンド（７）の配列が同じでありかつレーンプレート（３）の長手軸に対し対称であり、更に隣接したスタート円（５）の中心とピンスタンド（７）の中心の距離が互いに等しい請求項５および６に記載のターボボーリング。
【請求項８】
スタートライン（６）がレーンプレート（３）の最初の１／３部分内に配置されている請求項５ないし７の何れかに記載のターボボーリング。
【発明の詳細な説明】
【技術分野】
【０００１】
本発明の主題はテーブル休憩室用ゲーム、特にターボボーリングであり、このターボボーリングはターボプレイヤー器具、如何なる方向へも傾くレーンプレートおよびレーンプレート上に配置されたボーリングピンを備えている。このターボボーリングは競技さえも目的とするテーブル休憩室用ゲームであり、この競技においてプレイヤーは彼らの競技を通して勝利のためにできるだけ多くのボーリングピンの獲得を追求する。
【発明の開示】
【０００２】
ターボボーリングはベンチスケールでのオリジナルなボーリングゲームの適応を可能にする。ベンチスケールではボーリングピンはボーリングボールではなく好適に形成された旋回トップにより倒される。旋回トップを導入することによりオリジナルな極めて長いレーンは旋回トップの手段によりより短いものとされることができ、この旋回トップはボールと比べてより低い移動量率を備えている。この事実の結果としてレーンのサイズはベンチスケール構造を得るのに必要とするほどに低減され得る。旋回トップの方向はレーンプレートを好みの方向へ傾けることにより得られる。
【０００３】
ボーリングボールを具体化した旋回トップは非常に効果的な方法でピンを倒すために特殊な形と構造を備えている。レーンプレートの形状は矩形である。ピンの形状はオリジナルなボーリングゲームにおけるものと同様である。
【発明を実施するための最良の形態】
【０００４】
ターボボーリングの主要要素は旋回トップ１、ピン２、レーンプレート３およびセッテイング器具４である。
【０００５】
旋回トップ１はピン２を打ち倒すための遊具である。旋回トップ１は回転対称的な円錐塊でそのプレート１／ａは正六辺形を備えかつ更に回転尾部１／ｂおよびチップ１／ｃを備えている。
【０００６】
回転尾部１／ｂは溝粗面付きとされて人差し指と親指によりひねる間のスリップを回避するようにしている。
【０００７】
旋回トップ１の円錐形部分は円柱状チップ１／ｃで終わっており、円柱状チップの回転面は半球ヘッドとなるように設計されている。
【０００８】
旋回トップ１の設計は競技性能の観点から極めて重要であり、すなわちピン２を最も速くかつ最も効果的に倒す方法が非常に重要である。
【０００９】
最も好ましくは旋回トップ１のシャフト長さは正六辺形の面間の長さと等しくかつ正六辺形の頂点間の距離はピン２の最大直径の２倍である。
【００１０】
もしチップサイズ、すなわち円柱部分と半球状部分との組み合わされた長さが円柱部分の直径の２倍であると、それも好ましい。
【００１１】
ゲーム成功のためには、寸法の他に旋回トップの構造材料の選択もまた最も重要である。好ましくは旋回トップの構造材料は均質な真鍮である。その質量と硬度のため真鍮製の旋回トップ１は充分な手動エネルギー伝達により適当角度で傾斜配置されたレーンプレート３の表面上を充分長期間回転前進運動することができ、かつ最適距離だけ前進した時にピン２を打ち倒すことができる。ゲームの好ましい実施例によると旋回トップの質量は１００ｇ±５ｇである。
【００１２】
直接的にまたは間接的に組み合わされた機械的エネルギーを利用することにより旋回トップ１はピン２を打ち倒す。機械的エネルギーの組合せおよび有効性は本発明において議論されてきた配慮により設計された遊具および構造材料により最も好ましい方法で保証される。
【００１３】
ピン２もまた回転塊でありその形状は当初のボーリングゲームにおけるピンと同様である。ピン２のサイズは基本的にはレーンプレート３のサイズにフィットするサイズである。ピン２の構造材料および質量も重要である。好ましくはピン２の構造材料は表面処理されかつ空気乾燥されたライム材である。好ましくはピンの質量は旋回トップ１の質量の１／１０である。ピン２および旋回トップ１の適切な質量比は好結果ゲームを保証する。本発明の好ましい実施例によるとピン２の最大直径は旋回トップ１の正六辺形プレート１／ａの頂点間隔の１／２でありかつその質量は１０ｇ±１ｇである。
【００１４】
旋回トップ１およびピン２の理想的な質量は結局レーンプレート３のサイズにより決定されるが、それらの相対的な質量も重要である。
【００１５】
ピンの１セットが１０ピースから成り、従って９本のピンおよび１０ピン付きのボーリングもプレーされ得る。
【００１６】
レーンプレート３の形は矩形である。本発明の好ましい実施例によるとレーンプレート３は枠組３／ａ、レーンプレート３／ｃ、およびレーンボード３／ｅから成る。
【００１７】
枠組３／ａは普通の人の掌にフィットするために適当な直径を有する旋回成形塊で形成されている。そのサイズはレーンプレート３／ｃに対してフィットする。枠組３／ａの構造材料は好ましくは表面処理されかつ空気乾燥された松材である。
【００１８】
選択的に枠組３／ａの内側はゴムストリップ３／ｂにより保護されている。ゴムストリップ３／ｂはふたつの機能：一方においては旋回トップ１により生ずる枠組３／ａの表面の損傷を保護し、かつ他方においてはそれは不正確な旋回の検知を提供する。
【００１９】
レーンプレート３／ｃはプレーフィールドの重要な要素でありその堅くて平坦な面は旋回トップ１の複雑な動きを支持する。その構造材料の選択はこれらの基準を考慮に入れて行われなければならない。レーンプレート３／ｃは張り合わされた飛散防止ガラス、剛直で透明なプラスチック、または硬質木材で作られ得る。
【００２０】
本発明の好ましい実施例によるとレーンプレート３／ｃは張り合わされた飛散防止ガラスで作られる。利点として透明ガラス面はフィールドシンボル、すなわち緑の背景に対する白いスタート円、スタートラインおよびピンスタンドの可視性を提供し、更にそれは長期間の使用のためにも耐かき傷性を有する。９ピンまたはボーリングゲームの場合にレーンプレート３／ｃのサイズは矩形の長さがその幅の３倍になるように調整されるべきである。
【００２１】
レーンのフィールドシンボルはレーンプレート３／ｃ上に直接描かれ得る。しかしながら実際上の理由、例えばレーンプレート３／ｃが飛散防止ガラスで作られている場合にシンボルのかき傷を回避するためには、シンボルは好ましくはレーンプレート３／ｃの下側に配置されるレーンボード３／ｄ上に配置される。その構造材料は好ましくは厚紙上に接着されたプラスチック箔である。
【００２２】
底部側からレーンプレート３はクランププレート３／ｅにより閉塞されており、このクランププレートは保持ねじ３／ｆにより枠組３／ａに対して締着されている。このクランププレート３／ｅはふたつの機能、すなわちボード３／ｄをレーンプレート３／ｃにまたセッテイング器具４を枠組に締め付ける機能を備えている。好ましくはプレートはステンレススチールで作られておりかつそのサイズは枠組３／ａの底部分にフィットする大きさである。
【００２３】
ベンチスケール版の場合は旋回トップ１の他に他の重要な新しいデザインは傾斜レーンプレートであり、そのプレートは回転している旋回トップ１が好適な旋回状態でかつピンに向かいレーンプレートが傾斜した状態で前および側方へ前進するために使用される球面上にある。
【００２４】
セッテイング器具４の目的はふたつの要素すなわち球ヘッド４／ａおよび球シェル４／ｂから成る旋回成形塊として設計されたその構造により上記の要求を達成することである。球ヘッド４／ａのサイズは球シェル４／ｂ内に着座させることによりレーンプレート３が如何なる任意のセッテイング位置も提供し得るように設計されている。
【００２５】
セッテイング器具４の球ヘッド４／ａはプレート３／ｅの中央に取り付けられかつクランプねじ４／ｄによりプレート３／ｅに装着される。
【００２６】
球ヘッド４／ａおよび球シェル４／ｂの粗面の付着は石版術チョーク付けにより達成され得る。セッテイング器具のデザインと成形はレーンプレート３をそれが与えられた位置へ傾斜されセッテイングされた後に次のセッテイングまで保持されるように準備される。
【００２７】
変形および割れを回避するためにセッテイング器具４の構造材料は好ましくは空気乾燥された重合松材でありかつ両要素の円柱状部品は表面処理されている。
【００２８】
セッテイング器具４の材料の品質および成形は付着を提供するために使用される補助材料（石版術チョーク）と共にレーンプレート３の調整を保証する。
【００２９】
滑り防止ゴムスラブ４／ｃが球シェル４／ｂの底面に対して接着されていて、平坦面上、例えば動作中のテーブル上における動きを回避している。
【００３０】
ゲームの好ましい実施例の全質量は約１６ｋｇである。
【００３１】
従来型の９ピンおよび１０ピン付きのボーリングの双方がこのターボボーリングでプレー可能である。
【００３２】
フィールドシンボル、すなわちスタート円５、スタートライン６およびピンスタンド７は図３上に記述されている。プレイヤーはスタート円５の後にいる。
【００３３】
旋回トップ１の旋回は、動作中に旋回トップ１のチップ１／ｃがスタート円５内に残っていたとしても、スタート円５内で行われなければならない。スタート円５は困難さの異なる尺度を表示している。
【００３４】
スタートライン６の表示：スタート円５内で旋回している旋回トップ１はレーンプレート３を傾けることにより方向付けられてスタート円５から離された旋回トップの期待される最良の方向でスタートライン６まで送られる。チップ１／ｃがスタートライン６を越えるまでプレイヤーはレーンプレート３を傾けることにより修正を実施し得る。傾斜中にピン２が倒れることは許されない。スタートライン６はレーンプレート３の最初の１／３部分にある。
【００３５】
ピンスタンド７はピンの場所を意味している。ピンスタンド７はプレーフィールドの最後の１／３部分に配置されている。ピンはプレースタンド７の円上に配置されなければならない。
【００３６】
スタート円５およびピンスタンド７のレーンプレート３上における配列は同じでありかつレーンプレート３の長手軸に対して対称である。隣接スタート円５およびピンスタンド７の中心は互いに等距離にある。
【００３７】
水平位置に配置されたレーンプレート３の面上でのゲームにおいて旋回トップ１が手動で回された後、その旋回はレーンプレート３を傾斜することにより始められて殆どのピン２を倒し得る。旋回トップ１はピン２を直接的にまたは間接的に倒すことができる。旋回トップ１の正六辺形プレート１／ａの旋回中に華々しくピン２を倒し、それは通常優秀なスコアーが得られる場合である。起立姿勢で残されたピン２であってもスタート円５から滑り出しているものは元の位置へ戻されなければならない。
【００３８】
旋回は両手で行われ得るが或る人はひとつの手で旋回をさせることがある。
【００３９】
優秀なゲームの条件は旋回の経験とレーンを整える位置決め手順を獲得することであり、そうでなければレーンの傾斜を先に行うと旋回トップがレーン上でスリップし、その方法では無効な旋回を招く。
【００４０】
レーン傾斜の方向は常に旋回トップの回転方向の逆である。
【００４１】
オリジナルなボーリングゲームと同様に右効きおよび左効きプレイヤーの双方がこのターボボーリングを楽しむことができる。
【００４２】
このゲームは競技を鼓舞しかつ一人またはチームで実施されるスポーツマン的なゲームである。
【００４３】
このゲームは能力と総合力を向上させかつ賭博性がない。教育的観点からは攻撃性を鼓舞することはない。
【００４４】
このゲームは幼年期から教えられかつプレーされることが推奨される。
【図面の簡単な説明】
【００４５】
本発明の詳細は以下の図面により提供される。
【図１】旋回トップの底面図、側面図および頂面図である。
【図２】断面付きのピン２の図面である。
【図３】レーンプレートの頂面図および側面図である。
【図４】レーンプレート３およびレーンプレート３上に装着されたセッテイング器具４の断面図である。
【図５】レーンプレート３およびレーンプレート３上に装着されたセッテイング器具４の底面図および側面図である。
【符号の説明】
【００４６】
１          ターボプレイヤーユニット（旋回トップ）
１／ａ      プレート
１／ｂ      回転尾部
１／ｃ      チップ
２          ボーリングピン
３          レーンプレート
３／ａ      枠組
３／ｂ      ゴムシート
３／ｃ      レーンプレート
３／ｄ      レーンボード
３／ｅ      クランププレート
３／ｆ      保持ねじ
４          セッテイング器具
４／ａ      球ヘッド
４／ｂ      球シェル
４／ｃ      滑り防止ゴムスラブ
４／ｄ      クランプねじ
５          スタート円
６          スタートライン
７          ピンスタンド
【図１】
2005532104.tif 000003
【図２】
2005532104.tif 000004
【図３】
2005532104.tif 000005
【図４】
2005532104.tif 000006
【図５】
2005532104.tif 000007
【国際調査報告】
2005532104.tif 000008
2005532104.tif 000009